(57)【要約】【課題】増幅回路の電流の損失が低減され、増幅回路の発熱を抑制することができる電圧調整回路を提供する。【解決手段】レギュレータ１１１は、制御電源電圧ＶＣＣが供給されるとこの電圧を第１の所定電圧まで降圧して増幅回路１１３、増幅回路１１４の高圧側電源端子（以下、高圧側電源をハイサイド電源という）に供給する。レギュレータ１１２は、制御電源電圧ＶＣＣが供給されるとこの電圧を第２の所定電圧まで降圧して増幅回路１１３、増幅回路１１４の低圧側電源端子（以下、低圧側電源をローサイド電源という）に供給する。レギュレータ１１１から供給されたハイサイド電源と、レギュレータ１１２から供給されたローサイド電源との差電圧を電源電圧として増幅回路１１３と増幅回路１１４が動作する。上記第１の所定電圧と上記第２の所定電圧との差電圧は、増幅回路１１３、増幅回路１１４の発熱を抑制するのに必要な小さな値となるように設定される。【選択図】図１
2012060386.tif 000002
【特許請求の範囲】
【請求項１】
増幅回路の電源電圧の大きさを減少させる電源電圧減少手段を備え、
前記電源電圧減少手段によって前記増幅回路の発熱を抑制することを特徴とする電圧調整回路。
【請求項２】
前記電源電圧減少手段は電源電流によりハイサイド電源を降圧させる第１の抵抗を備えたことを特徴とする請求項１に記載の電圧調整回路。
【請求項３】
前記電源電圧減少手段は電源電流によりローサイド電源を昇圧させる第２の抵抗を備えたことを特徴とする請求項２に記載の電圧調整回路。
【請求項４】
前記増幅回路の電源電流を検出する電流検出手段を備え、
前記電流検出手段が前記電源電流の過電流を検出することを特徴とする請求項１に記載の電圧調整回路。
【請求項５】
前記電流検出手段は電圧を比較する比較器を備え、
前記比較器により前記第１の抵抗の両端の電圧を入力し比較することを特徴とする請求項４に記載の電圧調整回路。
【請求項６】
前記増幅回路のハイサイド電源を降圧する第１のレギュレータを備え、
前記電流検出手段が過電流を検出したとき前記第１のレギュレータの出力を停止することで前記増幅回路の動作を停止させることを特徴とする請求項４または請求項５に記載の電圧調整回路。
【請求項７】
前記増幅回路にスイッチを備え、
前記電流検出手段が過電流を検出したとき前記スイッチをオフすることで前記増幅回路の動作を停止させることを特徴とする請求項４または請求項５に記載の電圧調整回路。
【請求項８】
前記増幅回路から出力される電流を遮断する電流遮断手段を備え、
前記電流検出手段が過電流を検出したとき前記電流遮断手段により前記増幅回路を無負荷にすることを特徴とする請求項４または請求項５に記載の電圧調整回路。
【請求項９】
前記電源電圧減少手段は前記増幅回路のハイサイド電源を降圧する第１のレギュレータと、
前記電源電圧減少手段は前記増幅回路のローサイド電源を昇圧する第２のレギュレータを備えたことを特徴とする請求項１に記載の電圧調整回路。
【請求項１０】
前記増幅回路は、液晶パネルの対向電源用増幅回路またはＣＳ電源用増幅回路であることを特徴とする請求項１から請求項９のいずれか１項に記載の電圧調整回路。
【発明の詳細な説明】
【技術分野】
【０００１】
本発明は、電圧調整回路に係り、特に増幅回路の過電流による発熱を効果的に抑制することのできる電圧調整回路に関する。
【背景技術】
【０００２】
表示装置用の液晶パネルとして、ＴＦＴ（Thin Film Transistor）−ＬＣＤ（Liquid Cristal Display）などのアクティブマトリックス型ＬＣＤが、応答の速さ、良好な表示品位などから現在の液晶表示装置の中心として使われている。アクティブマトリックス型ＬＣＤは、アクティブマトリックス基板などを備え、このアクティブマトリックス基板上にはＴＦＴ、補助容量（ＣＳ）、画素電極、ゲートバスライン、ソースバスライン、補助容量配線が配置されている。このように構成された液晶パネルの画素には、対向電極を駆動するための対向電源、ＣＳ（補助容量）を駆動するＣＳ電源が備わり、所定の電圧を供給している。これら電源は、制御電源電圧ＶＣＣをレギュレータで降圧した後、増幅回路を介して電圧を印加するように構成されている。
【０００３】
図１２は従来の対向電源としての対向電源用及びＣＳ電源用の電圧調整回路８００の構成を示している。電圧調整回路８００は、レギュレータ８１１、対向電源用増幅回路８１２、及びＣＳ電源用増幅回路８１３から構成されている。このような電圧調整回路８００において、ＶＣＣは制御電源電圧、ＧＮＤは接地電位（基準電位）を示している。レギュレータ８１１は、電源端子が制御電源電圧ＶＣＣとＧＮＤに接続され、出力端子に所定の値に降圧した電圧を出力している。そして、この降圧した電圧を用いて対向電源用増幅回路８１２とＣＳ電源用増幅回路８１３が動作する。但し、図では対向電源用増幅回路８１２とＣＳ電源用増幅回路８１３の入出力端子は省略して描いてある。このとき、対向電源用増幅回路８１２とＣＳ電源用増幅回路８１３には、電流が流れるために発熱するが、レギュレータ８１１から出力される電圧を降圧することで、対向電源用増幅回路８１２とＣＳ電源用増幅回路８１３の発熱を抑制している。しかし、液晶パネルの大型化に伴い液晶パネルに表示する画面によっては、対向電源用増幅回路８１２とＣＳ電源用増幅回路８１３の許容損失から求められる許容電流値を超える電流（以下、過電流という）が流れることで基準温度を超えることがあった。更に、基準温度を超えることで対向電源用増幅回路８１２とＣＳ電源用増幅回路８１３に焼損を引き起こすことがあった。
【０００４】
増幅回路の過電流を高精度で検出して過電流から保護する技術として特開平９−１１９９４９号公報（特許文献１）を挙げることができる。特許文献１に開示の技術では、過電流検出回路において電流検出トランジスタのベース・エミッタ間順方向電圧の温度変化を、ダイオードの順方向電圧の温度変化で相殺することにより、周囲温度の変化による電流検出閾値の変動を解消することが可能となる。これにより、過電流検出回路は環境温度の変化に対して過電流検出精度を高くできるようにしている。
【先行技術文献】
【特許文献】
【０００５】
【特許文献１】特開平９−１１９９４９号公報
【発明の概要】
【発明が解決しようとする課題】
【０００６】
特許文献１に開示の技術は、周囲温度の変化による電流検出閾値の変動を解消することで、過電流検出回路において過電流の検出精度を高くしている。しかし、特許文献１に開示の技術は、過電流の検出精度を高くしているが過電流による発熱を抑えることはできない。
【０００７】
本発明はこのような状況に鑑みてなされたものであり、上記課題を解決できる電圧調整回路を提供することを目的とする。
【課題を解決するための手段】
【０００８】
本発明の電圧調整回路は、増幅回路の電源電圧の大きさを減少させる電源電圧減少手段を備え、前記電源電圧減少手段によって前記増幅回路の発熱を抑制することを特徴としている。
また、本発明の電圧調整回路の前記電源電圧減少手段は、電源電流によりハイサイド電源を降圧させる第１の抵抗を備えたことを特徴としている。
また、本発明の電圧調整回路の前記電源電圧減少手段は、電源電流によりローサイド電源を昇圧させる第２の抵抗を備えたことを特徴としている。
また、本発明の電圧調整回路は、前記増幅回路の電源電流を検出する電流検出手段を備え、前記電流検出手段が前記電源電流の過電流を検出することを特徴としている。
また、本発明の電圧調整回路の前記電流検出手段は電圧を比較する比較器を備え、前記比較器により前記第１の抵抗の両端の電圧を入力し比較することを特徴としている。
また、本発明の電圧調整回路は、前記増幅回路のハイサイド電源を降圧する第１のレギュレータを備え、前記電流検出手段が過電流を検出したとき前記第１のレギュレータの出力を停止することで前記増幅回路の動作を停止させることを特徴としている。
また、本発明の電圧調整回路は、前記増幅回路にスイッチを備え、前記電流検出手段が過電流を検出したとき前記スイッチをオフすることで前記増幅回路の動作を停止させることを特徴としている。
また、本発明の電圧調整回路は、前記増幅回路から出力される電流を遮断する電流遮断手段を備え、前記電流検出手段が過電流を検出したとき前記電流遮断手段により前記増幅回路を無負荷にすることを特徴としている。
また、本発明の電圧調整回路は、前記電源電圧減少手段は前記増幅回路のハイサイド電源を降圧する第１のレギュレータと、前記電源電圧減少手段は前記増幅回路のローサイド電源を昇圧する第２のレギュレータを備えたことを特徴としている。
また、本発明の前記電圧調整回路は、液晶パネルの対向電源用増幅回路またはＣＳ電源用増幅回路であることを特徴としている。
【発明の効果】
【０００９】
本発明によれば、増幅回路が最適な電源で動作することで増幅回路の発熱を抑制し、また増幅回路に過電流が流れた場合には電流を停止できるので増幅回路の焼損を防止する電圧調整回路を提供できる。
【図面の簡単な説明】
【００１０】
【図１】本発明の第１の実施形態に係る電圧調整回路の構成を示す図である。
【図２】本発明の第２の実施形態に係る電圧調整回路の構成を示す図である。
【図３】本発明の第３の実施形態に係る電圧調整回路の構成を示す図である。
【図４】本発明の第４の実施形態に係る電圧調整回路の構成を示す図である。
【図５】本発明の第４の実施形態に係る電圧調整回路の変形例の構成を示す図である。
【図６】本発明の第５の実施形態に係る電圧調整回路の構成を示す図である。
【図７】本発明の第５の実施形態に係る電圧調整回路の変形例の構成を示す図である。
【図８】本発明の第６の実施形態に係る電圧調整回路の構成を示す図である。
【図９】本発明の第６の実施形態に係る電圧調整回路の変形例の構成を示す図である。
【図１０】本発明の第７の実施形態に係る電圧調整回路の構成を示す図である。
【図１１】本発明の第７の実施形態に係る電圧調整回路の変形例の構成を示す図である。
【図１２】従来の実施例に係る電圧調整回路の構成を示す図である。
【発明を実施するための形態】
【００１１】
以下、本発明を実施するための第１の実施形態（以下、「実施形態１」という）を、図面を参照して説明する。
【００１２】
図１に実施形態１の電圧調整回路１００を示す。図１に示すように電圧調整回路１００は、レギュレータ１１１、レギュレータ１１２、増幅回路１１３、及び増幅回路１１４から構成されている。増幅回路１１３、増幅回路１１４は対向電源用増幅回路、ＣＳ電源用増幅回路であってもよいが、その他の用途の増幅回路であってもよい。以下に説明する、増幅回路１１３、増幅回路１１４、増幅回路２１２、増幅回路２１３、増幅回路３１３、増幅回路３１４、増幅回路４１４、増幅回路４１５、増幅回路５１４、増幅回路６１５、及び増幅回路７１５についても同様である。レギュレータ１１１は、制御電源電圧ＶＣＣが供給されるとこの電圧を第１の所定電圧まで降圧して増幅回路１１３、増幅回路１１４の高圧側電源端子（以下、高圧側電源をハイサイド電源という）に供給する。また、レギュレータ１１２は、制御電源電圧ＶＣＣが供給されるとこの電圧を第２の所定電圧まで降圧して増幅回路１１３、増幅回路１１４の低圧側電源端子（以下、低圧側電源をローサイド電源という）に供給する。そしてレギュレータ１１１から供給されたハイサイド電源と、レギュレータ１１２から供給されたローサイド電源との差電圧を電源電圧として増幅回路１１３と増幅回路１１４が動作する。上記第１の所定電圧と上記第２の所定電圧との差電圧は、増幅回路１１３、増幅回路１１４の発熱を抑制するのに必要な小さな値となるように設定される。
【００１３】
このように、増幅回路１１３と増幅回路１１４のハイサイド電源とローサイド電源をレギュレータ１１１とレギュレータ１１２で所定の差電圧となるように降圧することで、増幅回路１１１と増幅回路１１２の電源電圧値を低く抑えることができる。電源電圧が減少する結果、過電流を抑制することができる。このように発熱を抑えるのに最適な電源電圧が増幅回路１１３と増幅回路１１４に供給されるので、増幅回路１１３と増幅回路１１４の電流による電力損失が低減され、増幅回路１１３と増幅回路１１４の発熱を抑制することができる。
【００１４】
次に、本発明を実施するための第２の実施形態（以下、「実施形態２」という）を、図面を参照して説明する。
【００１５】
図２に実施形態２の電圧調整回路２００を示す。図２に示すように電圧調整回路２００は、抵抗２１１、増幅回路２１２、増幅回路２１３、及び抵抗２１４から構成されている。抵抗２１１、抵抗２１４は、増幅回路２１２と増幅回路２１３の電源電圧を減少させるための抵抗素子であり、抵抗２１１、抵抗２１４は増幅回路２１２と増幅回路２１３の電源電流に応じて決定される。このような電圧調整回路２００において、制御電源電圧ＶＣＣが入力され増幅回路２１２、増幅回路２１３に電源電流が流れると抵抗２１１に電圧降下を生じ増幅回路２１２、増幅回路２１３のハイサイド電源電圧は降圧する。また、制御電源電圧ＶＣＣが入力され増幅回路２１２、増幅回路２１３に電源電流が流れると抵抗２１４に電圧降下を生じ増幅回路２１２、増幅回路２１３のローサイド電源電圧はＧＮＤの基準電圧０Ｖに対し、抵抗２１４の電圧降下分だけ昇圧する。そして抵抗２１１により降圧されたハイサイド電源電圧と、抵抗２１２により昇圧されたローサイド電源電圧との差電圧を電源電圧として増幅回路２１２及び増幅回路２１３が動作する。
【００１６】
このように電圧調整回路２００の電流が一定であれば、発熱を抑えるのに最適な電源電圧まで増幅回路２１２と増幅回路２１３のハイサイド電源を抵抗２１１で降圧し、ローサイド電源を抵抗２１４で昇圧することができる。この結果、電源電圧が減少するので過電流を抑制することができる。抵抗２１１、抵抗２１４の電圧降下は電源電流に比例するので、電源電流が増加する程電源電圧が減少し、増幅回路２１２、増幅回路２１３での発熱を減少するように作用する。このように、発熱を抑えるのに最適な電源電圧が増幅回路２１２と増幅回路２１３に供給されるので、増幅回路２１２と増幅回路２１３の電流による電力損失が低減され、増幅回路２１２と増幅回路２１３の発熱を抑制することができる。
【００１７】
次に、本発明を実施するための第３の実施形態（以下、「実施形態３」という）を、図面を参照して説明する。
【００１８】
図３に実施形態３の電圧調整回路３００を示す。図３に示すように電圧調整回路３００は、抵抗３１１、抵抗３１２、増幅回路３１３、増幅回路３１４、抵抗３１５、及び抵抗３１６から構成されている。電圧調整回路３００は、増幅回路３１３の電源電圧を減少させるための抵抗３１１、抵抗３１５を備え、その値は増幅回路３１３の電源電流に応じて決定される。また電圧調整回路３００は、増幅回路３１４の電源電圧を減少させるための抵抗３１２、抵抗３１６を備え、その値は増幅回路３１４の電源電流に応じて決定される。このような電圧調整回路３００において、制御電源電圧ＶＣＣが入力されると増幅回路３１３に電源電流が流れ、抵抗３１１に電圧降下を生じる。この電圧降下は増幅回路３１３のハイサイド電源電圧を降圧させる。また、制御電源電圧ＶＣＣが入力されると増幅回路３１３に電源電流が流れ抵抗３１５に電圧降下を生じ、増幅回路３１３のローサイド電源電圧を昇圧させる。そして抵抗３１１により降圧されたハイサイド電源電圧と、抵抗３１５により昇圧されたローサイド電源電圧の差電圧を電源電圧として増幅回路３１３が動作する。同様に、制御電源電圧ＶＣＣが入力されると増幅回路３１４に電源電流が流れ抵抗３１２に電圧降下を生じる。この電圧降下は増幅回路３１４のハイサイド電源電圧を降圧させる。また、制御電源電圧ＶＣＣを入力すると、増幅回路３１４に電源電流が流れ、抵抗３１６に電圧降下を生じ、増幅回路３１４のローサイド電源電圧を昇圧させる。そして抵抗３１２により降圧されたハイサイド電源電圧と、抵抗３１６により昇圧されたローサイド電源電圧の差電圧を電源電圧として増幅回路３１４が動作する。
【００１９】
このように電圧調整回路３００の電源電流が一定であれば、発熱を抑えるのに最適な電源電圧まで増幅回路３１３のハイサイド電源を抵抗３１１で降圧し、ローサイド電源を抵抗３１５で昇圧することができる。同様に、発熱を抑えるのに最適な電源電圧まで増幅回路３１４を動作するハイサイド電源を抵抗３１２で降圧し、ローサイド電源を抵抗３１６で昇圧することができる。この結果、電源電圧が減少するので過電流を抑制することができる。抵抗３１１、抵抗３１５の電圧降下は電源電流に比例するので、電源電流が増加する程電源電圧が減少し、増幅回路３１３での発熱を減少するように作用する。同様に、抵抗３１２、抵抗３１６の電圧降下は電源電流に比例するので、電源電流が増加する程電源電圧が減少し、増幅回路３１４での発熱を減少するように作用する。このように、発熱を抑えるのに最適な電源電圧が増幅回路３１３と増幅回路３１４に供給されるので、増幅回路３１３と増幅回路３１４の電流による電力損失が低減され、増幅回路３１３と増幅回路３１４の発熱を抑制することができる。
【００２０】
次に、本発明を実施するための第４の実施形態（以下、「実施形態４」という）を、図面を参照して説明する。
【００２１】
図４に実施形態４の電圧調整回路４００、図５に実施形態４の変形例である電圧調整回路４５０を示す。図４に示すように電圧調整回路４００は、レギュレータ４１１、抵抗４１２、抵抗４１３、増幅回路４１４、及び増幅回路４１５から構成されている。レギュレータ４１１は、制御電源電圧ＶＣＣが供給されるとこの電圧を所定電圧まで降圧し、抵抗４１２、抵抗４１３を介して増幅回路４１４、増幅回路４１５のハイサイド電源端子に供給する。電圧調整回路４００は、増幅回路４１４の電源電圧を減少させるための抵抗４１２を備え、その値は増幅回路４１４の電源電流に応じて決定される。また、増幅回路４１５の電源電圧を減少させるための抵抗４１３を備え、その値は増幅回路４１５の電源電流に応じて決定される。このような電圧調整回路４００において、レギュレータ４１１から出力された電圧が抵抗４１２に入力されると増幅回路４１４に電源電流が流れ、抵抗４１２に電圧降下を生じる。この電圧降下は増幅回路４１４のハイサイド電源電圧を降圧させる。そして抵抗４１２により降下されたハイサイド電源電圧（ローサイド電源電圧はＧＮＤ電位）により増幅回路４１４が動作する。同様に、レギュレータ４１１から出力された電圧が抵抗４１３に入力されると増幅回路４１５に電源電流が流れ、抵抗４１３に電圧降下を生じる。この電圧降下は増幅回路４１５のハイサイド電源電圧を降圧させる。そして抵抗４１３により降下されたハイサイド電源電圧（ローサイド電源電圧はＧＮＤ電位）により増幅回路４１５が動作する。
【００２２】
このように、増幅回路４１４と増幅回路４１５のハイサイド電源をレギュレータ４１１で所定の電圧となるように降圧することで、増幅回路４１４と増幅回路４１５の電源の電圧値を低く抑えることができる。また、このような電圧調整回路４００の電源電流が一定であれば、発熱を抑えるのに最適な電源電圧まで増幅回路４１４を駆動するハイサイド電源を抵抗４１２で降圧することができる。同様に、発熱を抑えるのに最適な電源電圧まで増幅回路４１５を動作するハイサイド電源を抵抗４１３で降圧することができる。この結果、電源電圧が減少するので過電流を抑制することができる。抵抗４１２の電圧降下は電源電流に比例するので、電源電流が増加する程電源電圧が減少し、増幅回路４１４での発熱を減少するように作用する。同様に、抵抗４１３の電圧降下は電源電流に比例するので、電源電流が増加する程電源電圧が減少し、増幅回路４１５での発熱を減少するように作用する。このように、発熱を抑えるのに最適な電源電圧が増幅回路４１４と増幅回路４１５に供給されるので、増幅回路４１４と増幅回路４１５の電流による電力損失が低減され、増幅回路４１４と増幅回路４１５の発熱を抑制することができる。
【００２３】
図５に示すように電圧調整回路４５０は、レギュレータ４５１、抵抗４５２、抵抗４５３、増幅回路４５４、及び増幅回路４５５から構成されている。レギュレータ４５１は、制御電源電圧ＶＣＣが供給されるとこの電圧を所定電圧まで降圧し、抵抗４５２、抵抗４５３を介して増幅回路４５４、増幅回路４５５のローサイド電源端子に供給する。電圧調整回路４５０は、増幅回路４５４の電源電圧を減少させるための抵抗４５２を備え、その値は増幅回路４５４の電源電流に応じて決定される。また、増幅回路４５５の電源電圧を減少させるための抵抗４５３を備え、その値は増幅回路４５５の電源電流に応じて決定される。このような電圧調整回路４５０において、レギュレータ４５１から出力された電圧が抵抗４５２に入力されると増幅回路４５４に電源電流が流れ、抵抗４５２に電圧降下を生じる。この電圧降下は増幅回路４５４のローサイド電源電圧を昇圧させる。そして抵抗４５２により昇圧されたローサイド電源電圧により増幅回路４５４が動作する。同様に、レギュレータ４５１から出力された電圧が抵抗４５３に入力されると増幅回路４５５に電源電流が流れ、抵抗４５３に電圧降下を生じる。この電圧降下は増幅回路４５５のローサイド電源電圧を昇圧させる。そして抵抗４５３により昇圧されたローサイド電源電圧により増幅回路４５５が動作する。
【００２４】
このように、増幅回路４５４と増幅回路４５５のローサイド電源をレギュレータ４５１及び抵抗４５２と抵抗４５３で所定の電圧となるように供給することで、増幅回路４５４と増幅回路４５５の電源の電圧値を低く抑えることができる。また、このような電圧調整回路４５０の電源電流が一定であれば、発熱を抑えるのに最適な電源電圧まで増幅回路４５４を駆動するローサイド電源を抵抗４５２で昇圧することができる。同様に、発熱を抑えるのに最適な電源電圧まで増幅回路４５５を動作するローサイド電源を抵抗４５３で昇圧することができる。この結果、電源電圧が減少するので過電流を抑制することができる。抵抗４５２の電圧降下は電源電流に比例するので、電源電流が増加する程電源電圧が減少し、増幅回路４５４での発熱を減少するように作用する。同様に、抵抗４５３の電圧降下は電源電流に比例するので、電源電流が増加する程電源電圧が減少し、増幅回路４５５での発熱を減少するように作用する。このように、発熱を抑えるのに最適な電源電圧が増幅回路４５４と増幅回路４５５に供給されるので、増幅回路４５４と増幅回路４５５の電流による電力損失が低減され、増幅回路４５４と増幅回路４５５の発熱を抑制することができる。
【００２５】
次に、本発明を実施するための第５の実施形態（以下、「実施形態５」という）を、図面を参照して説明する。
【００２６】
図６に実施形態５の電圧調整回路５００、図７に実施形態５の変形例である電圧調整回路５５０を示す。図６に示すように電圧調整回路５００は、レギュレータ５１１、抵抗５１２、比較器５１３、及び増幅回路５１４から構成されている。レギュレータ５１１は、制御電源電圧ＶＣＣが供給されると電圧を所定電圧まで降圧して増幅回路５１４のハイサイド電源端子に抵抗５１２を介して供給する。電圧調整回路５００は、増幅回路５１４の電源電圧を減少させ、また増幅回路５１４に流れる電源電流を検出する抵抗５１２を備え、その値は増幅回路５１４の電源電流に応じて決定される。このような電圧調整回路５００において、レギュレータ５１１が降圧したハイサイド電源電圧が入力されると増幅回路５１４に電源電流が流れ、抵抗５１２に電圧降下を生じる。この電圧降下はハイサイド電源電圧を降圧させる。そして抵抗５１２により降下されたハイサイド電源電圧（ローサイド電源電圧はＧＮＤ電位）により増幅回路５１４が動作する。また、比較器５１３は、抵抗５１２の両端の電圧を入力し、両端の電圧の差が予め決めた閾値を超えた場合に、レギュレータ５１１の出力を停止する出力停止信号を出力する。レギュレータ５１１は、出力停止信号が入力されると、出力電圧を０Ｖとして増幅回路５１４のハイサイド電源端子への電源供給を停止する。これにより、増幅回路５１４の動作も停止される。
【００２７】
このように、増幅回路５１４のハイサイド電源をレギュレータ５１１で所定の電圧となるように降圧することで、増幅回路５１４の電源の電圧値を低く抑えることができる。また、このような電圧調整回路５００の電源電流が一定であれば発熱を抑えるのに最適な電源電圧まで、増幅回路５１４を動作するハイサイド電源を抵抗５１２で降圧することができる。この結果、電源電圧が減少するので過電流を抑制することができる。抵抗５１２の電圧降下は電源電流に比例するので、電源電流が増加する程電源電圧が減少し、増幅回路５１４での発熱を減少するように作用する。このように、発熱を抑えるのに最適な電源電圧が増幅回路５１４に供給されるので、増幅回路５１４の電流による電力損失が低減され、増幅回路５１４の発熱を抑制することができる。更に、比較器５１３により、抵抗５１２の両端の電圧における差が予め決めた閾値を超えたと判定した場合には、レギュレータ５１１による増幅回路５１４への電源供給を停止することで増幅回路５１４の動作が停止される。つまり、過電流が流れるときは抵抗５１２の両端の差電圧が所定値を超えることで、過電流が流れていることを判定し、レギュレータ５１１の出力を０Ｖとすることができる。このように、電圧調整回路５００に過電流が流れるときには、比較器５１３の出力停止信号によりレギュレータ５１１の出力電圧を０Ｖとして増幅回路５１４への電源供給を停止し、増幅回路５１４の焼損を防止することができる。
【００２８】
図７に示すように電圧調整回路５５０は、レギュレータ５５１、抵抗５５２、比較器５５３、及び増幅回路５５４から構成されている。レギュレータ５５１は、制御電源電圧ＶＣＣが供給されると電圧を所定電圧まで降圧して増幅回路５５４のローサイド電源端子に供給する。電圧調整回路５５０は、増幅回路５５４の電源電圧を減少させ、また増幅回路５５４に流れる電源電流を検出する抵抗５５２を備え、その値は増幅回路５５４の電源電流に応じて決定される。このような電圧調整回路５５０において、制御電源電圧ＶＣＣが入力されレギュレータ５５１が降圧したローサイド電源電圧が入力されると増幅回路５５４に電源電流が流れ、抵抗５５２に電圧降下を生じる。この電圧降下はハイサイド電源電圧を降圧させる。そして抵抗５５２により降下されたハイサイド電源電圧とレギュレータ５５１の出力電圧であるローサイド電源電圧により増幅回路５５４が動作する。また、比較器５５３は、抵抗５５２の両端の電圧を入力し、両端の電圧の差が予め決めた閾値を超えた場合に、レギュレータ５５１の出力を昇圧する出力昇圧信号を出力する。レギュレータ５５１は、出力昇圧信号が入力されると、出力電圧を制御電源電圧ＶＣＣに向けて昇圧し、増幅回路５５４のハイサイド電源端子とローサイド電源端子間の差電圧を低下させ、これにより、増幅回路５５４の動作を停止させる。
【００２９】
このように、増幅回路５５４のローサイド電源をレギュレータ５５１で所定の電圧となるように降圧することで、増幅回路５５４の電源の電圧値を低く抑えることができる。また、このような電圧調整回路５５０の電源電流が一定であれば発熱を抑えるのに最適な電源電圧まで、増幅回路５５４を動作するハイサイド電源を抵抗５５２で降圧することができる。この結果、電源電圧が減少するので過電流を抑制することができる。抵抗５５２の電圧降下は電源電流に比例するので、電源電流が増加する程電源電圧が減少し、増幅回路５５４での発熱を減少するように作用する。このように、発熱を抑えるのに最適な電源電圧が増幅回路５５４に供給されるので、増幅回路５５４の電流による損失が低減され、増幅回路５５４の発熱を抑制することができる。更に、比較器５５３により、抵抗５５２の両端の電圧における差が予め決めた閾値を超えたと判定した場合には、レギュレータ５５１による増幅回路５５４へのローサイド電源電圧を制御電源電圧ＶＣＣの近くまで上昇させ、これにより増幅回路５５４の動作が停止される。つまり、過電流が流れるときは抵抗５５２の両端の差電圧が所定値を超えることで、過電流が流れていることを判定し、増幅回路５５４の電源電圧を０Ｖ近くまで低下させることができる。このように、電圧調整回路５５０に過電流が流れるときには、比較器５５３の出力停止信号によりレギュレータ５５１の出力電圧を制御電源電圧ＶＣＣ近くまで上昇させて増幅回路５５４への電源供給を停止し、増幅回路５５４の焼損を防止することができる。
【００３０】
次に、本発明を実施するための第６の実施形態（以下、「実施形態６」という）を、図面を参照して説明する。
【００３１】
図８に実施形態６の電圧調整回路６００、図９に実施形態６の変形例である電圧調整回路６５０を示す。図８に示すように電圧調整回路６００は、レギュレータ６１１、抵抗６１２、比較器６１３、スイッチ６１４、及び増幅回路６１５から構成されている。レギュレータ６１１は、制御電源電圧ＶＣＣが供給されるとこの電圧を所定電圧まで降圧して増幅回路６１５のハイサイド電源端子に抵抗６１２、スイッチ６１４を介して供給する。電圧調整回路６００は、増幅回路６１５の電源電圧を減少させ、また増幅回路６１５に流れる電源電流を検出する抵抗６１２を備え、その値は増幅回路６１５の電源電流に応じて決定される。このような電圧調整回路６００において、レギュレータ６１１が降圧したハイサイド電源電圧が抵抗６１２とスイッチ６１４を介して入力されると増幅回路６１５に電源電流が流れ、抵抗６１２に電圧降下を生じさせる。この電圧降下はハイサイド電源電圧を降圧させる。そして抵抗６１２により降下されたハイサイド電源電圧（ローサイド電源電圧はＧＮＤ電位）により増幅回路６１５が動作する。また、比較器６１３は、抵抗６１２の両端の電圧を入力し、両端の電圧の差が予め決めた閾値を超えた場合に、抵抗６１２と増幅回路６１５の間に配置されているスイッチ６１４をＯＦＦするＯＦＦ信号を出力する。スイッチ６１４は、比較器６１３からＯＦＦ信号が入力されると、スイッチをＯＦＦし、増幅回路６１５のハイサイド電源端子への接続を遮断する。これにより、増幅回路６１５の動作は停止する。
【００３２】
このように、増幅回路６１５のハイサイド電源をレギュレータ６１１で所定の電圧となるように降圧することで、増幅回路６１５の電源電圧値を低く抑えることができる。また、このような電圧調整回路６００の電源電流が一定であれば発熱を抑えるのに最適な電源電圧まで、増幅回路６１５を動作するハイサイド電源を抵抗６１２で降圧することができる。この結果、電源電圧が減少するので過電流を抑制することができる。抵抗６１２の電圧降下は電源電流に比例するので、電源電流が増加する程電源電圧が減少し、増幅回路６１５での発熱を減少するように作用する。このように、発熱を抑えるのに最適な電源電圧が増幅回路６１５に供給されるので、増幅回路６１５の電流による損失が低減され、増幅回路６１５の発熱を抑制することができる。更に、比較器６１３により、抵抗６１２の両端の電圧における差が予め決めた閾値を超えたと判定した場合には、スイッチ６１４により増幅回路６１５のハイサイド電源端子への接続を遮断することで増幅回路６１５の動作を停止させる。つまり、過電流が流れるときは、抵抗６１２の両端の差電圧が所定値を超えることで、過電流が流れていることを判定し、スイッチ６１４をＯＦＦすることができる。このように、電圧調整回路６００に過電流が流れるときには、比較器６１３のＯＦＦ信号によりスイッチ６１４をＯＦＦとして電源を遮断し、増幅回路６１５の焼損を防止することができる。
【００３３】
図９に示すように電圧調整回路６５０は、レギュレータ６５１、抵抗６５２、比較器６５３、スイッチ６５４、及び増幅回路６５５から構成されている。レギュレータ６５１は、制御電源電圧ＶＣＣが供給されるとこの電圧を所定電圧まで降圧して増幅回路６５５のローサイド電源端子に供給する。電圧調整回路６５０は、増幅回路６５５の電源電圧を減少させ、また増幅回路６５５に流れる電源電流を検出する抵抗６５２を備え、その値は増幅回路６５５の電源電流に応じて決定される。このような電圧調整回路６５０において、制御電源電圧ＶＣＣが入力されレギュレータ６５１が降圧したローサイド電源電圧が入力されると増幅回路６５５に電源電流が流れ、抵抗６５２に電圧降下を生じる。この電圧降下はハイサイド電源電圧を降圧させる。そして抵抗６５２により降下されたハイサイド電源電圧とレギュレータ６５１の出力電圧であるローサイド電源電圧により増幅回路６５５が動作する。また、比較器６５３は、抵抗６５２の両端の電圧を入力し、両端の電圧の差が予め決めた閾値を超えた場合に、抵抗６５２と増幅回路６５５の間に配置されているスイッチ６５４をＯＦＦするＯＦＦ信号を出力する。スイッチ６５４は、比較器６５３からＯＦＦ信号が入力されると、スイッチをＯＦＦし、増幅回路６５５のハイサイド電源端子への接続を遮断する。これにより、増幅回路６５５の動作は停止する。
【００３４】
このように、増幅回路６５５のローサイド電源をレギュレータ６５１で所定の電圧となるように降圧することで、増幅回路６５５の電源電圧値を低く抑えることができる。また、このような電圧調整回路６５０の電源電流が一定であれば発熱を抑えるのに最適な電源電圧まで、増幅回路６５５を動作するハイサイド電源を抵抗６５２で降圧することができる。この結果、電源電圧が減少するので過電流を抑制することができる。抵抗６５２の電圧降下は電源電流に比例するので、電源電流が増加する程電源電圧が減少し、増幅回路６５５での発熱を減少するように作用する。このように、発熱を抑えるのに最適な電源電圧が増幅回路６５５に供給されるので、増幅回路６５５の電流による損失が低減され、増幅回路６５５の発熱を抑制することができる。更に、比較器６５３により、抵抗６５２の両端の電圧における差が予め決めた閾値を超えたと判定した場合には、スイッチ６５４により増幅回路６５５のハイサイド電源端子への接続を遮断することで増幅回路６５５の動作を停止させる。つまり、過電流が流れるときは、抵抗６５２の両端の差電圧が所定値を超えることで、過電流が流れていることを判定し、スイッチ６５４をＯＦＦすることができる。このように、電圧調整回路６５０に過電流が流れるときには、比較器６５３のＯＦＦ信号によりスイッチ６５４をＯＦＦとして電源を遮断し、増幅回路６５５の焼損を防止することができる。
【００３５】
次に、本発明を実施するための第７の実施形態（以下、「実施形態７」という）を、図面を参照して説明する。
【００３６】
図１０に実施形態７の電圧調整回路７００、図１１に実施形態７の変形例である電圧調整回路７５０を示す。図１０に示すように電圧調整回路７００は、レギュレータ７１１、抵抗７１２、比較器７１３、スイッチ７１４、及び増幅回路７１５から構成されている。レギュレータ７１１は、制御電源電圧ＶＣＣが供給されるとこの電圧を所定電圧まで降圧して増幅回路７１５のハイサイド電源端子に抵抗７１２を介して供給する。電圧調整回路７００は、増幅回路７１５の電源電圧を減少させ、また増幅回路７１５に流れる電源電流を検出する抵抗７１２を備え、その値は増幅回路７１５に応じて決定される。このような電圧調整回路７００において、増幅回路７１５にレギュレータ７１１が降圧したハイサイド電源電圧が入力されると増幅回路７１５に電源電流が流れ、抵抗７１２に電圧降下を生じる。この電圧降下はハイサイド電源電圧を降下させる。そして抵抗７１２により降下されたハイサイド電源電圧（ローサイド電源電圧はＧＮＤ電位）により増幅回路７１５が動作する。また、比較器７１３は、抵抗７１２の両端の電圧を入力し、両端の電圧の差が予め決めた閾値を超えた場合に、比較器７１３は、比較器７１３と増幅回路７１５の間に配置されているスイッチ７１４をＯＦＦするＯＦＦ信号を出力する。スイッチ７１４は、ＯＦＦ信号が比較器７１３から入力されると、スイッチをＯＦＦし増幅回路７１５からの出力を遮断する。スイッチ７１４の先には負荷が接続されているが、スイッチ７１４がＯＦＦされることで、増幅回路７１５は無負荷となる。
【００３７】
このように、増幅回路７１５のハイサイド電源をレギュレータ７１１で所定の電圧となるように降圧することで、増幅回路７１５の電源電圧値を低く抑えることができる。また、このような電圧調整回路７００の電源電流が一定であれば発熱を抑えるのに最適な電源電圧まで、増幅回路７１５のハイサイド電源を抵抗７１２で降圧することができる。この結果、電源電圧が減少するので過電流を抑制することができる。抵抗７１２の電圧降下は電源電流に比例するので、電源電流が増加する程電源電圧が減少し、増幅回路７１５での発熱を減少するように作用する。このように、発熱を抑えるのに最適な電源電圧が増幅回路７１５に供給されるので、増幅回路７１５の電流による損失が低減され、増幅回路７１５の発熱を抑制することができる。更に、比較器７１３により、抵抗７１２の両端の電圧における差が予め決めた閾値を超えたと判定した場合には、増幅回路７１５の出力をスイッチ７１４で遮断し、無負荷とすることができる。過電流が流れるときは、抵抗７１２の両端の差電圧が所定値を超えることで、過電流が流れていることを判定し、増幅回路７１５を無負荷にすることができる。このように、電圧調整回路７００に過電流が流れるときには、比較器７１３のＯＦＦ信号によりスイッチ７１４を動作させ増幅回路７１５を無負荷とし、増幅回路７１５の焼損を防止することができる。
【００３８】
図１１に示すように電圧調整回路７５０は、レギュレータ７５１、抵抗７５２、比較器７５３、スイッチ７５４、及び増幅回路７５５から構成されている。レギュレータ７５１は、制御電源電圧ＶＣＣが供給されるとこの電圧を所定電圧まで降圧して増幅回路７５５のローサイド電源端子に供給する。電圧調整回路７５０は、増幅回路７５５の電源電圧を減少させ、また増幅回路７５５に流れる電源電流を検出する抵抗７５２を備え、その値は増幅回路７５５に応じて決定される。このような電圧調整回路７５０において、制御電源電圧ＶＣＣが入力され増幅回路７５５にレギュレータ７５１が降圧したローサイド電源電圧が入力されると増幅回路６５５に電源電流が流れ、抵抗６５２に電圧降下を生じる。この電圧降下はハイサイド電源電圧を降下させる。そして抵抗７５２により降下されたハイサイド電源電圧とレギュレータ７５１の出力電圧であるローサイド電源電圧により増幅回路７５５が動作する。また、比較器７５３は、抵抗７５２の両端の電圧を入力し、両端の電圧の差が予め決めた閾値を超えた場合に、比較器７５３は、比較器７５３と増幅回路７５５の間に配置されているスイッチ７５４をＯＦＦするＯＦＦ信号を出力する。スイッチ７５４は、ＯＦＦ信号が比較器７５３から入力されると、スイッチをＯＦＦし増幅回路７５５からの出力を遮断する。スイッチ７５４の先には負荷が接続されているが、スイッチ７５４がＯＦＦされることで、増幅回路７５５は無負荷となる。
【００３９】
このように、増幅回路７５５のローサイド電源をレギュレータ７５１で所定の電圧となるように降圧することで、増幅回路７５５の電源電圧値を低く抑えることができる。また、このような電圧調整回路７５０の電源電流が一定であれば発熱を抑えるのに最適な電源電圧まで、増幅回路７５５のハイサイド電源を抵抗７５２で降圧することができる。この結果、電源電圧が減少するので過電流を抑制することができる。抵抗７５２の電圧降下は電源電流に比例するので、電源電流が増加する程電源電圧が減少し、増幅回路７５５での発熱を減少するように作用する。このように、発熱を抑えるのに最適な電源電圧が増幅回路７５５に供給されるので、増幅回路７５５の電流による損失が低減され、増幅回路７５５の発熱を抑制することができる。更に、比較器７５３により、抵抗７５２の両端の電圧における差が予め決めた閾値を超えたと判定した場合には、増幅回路７５５の出力をスイッチ７５４で遮断し、無負荷とすることができる。過電流が流れるときは、抵抗７５２の両端の差電圧が所定値を超えることで、過電流が流れていることを判定し、増幅回路７５５を無負荷にすることができる。このように、電圧調整回路７５０に過電流が流れるときには、比較器７５３のＯＦＦ信号によりスイッチ７５４を動作させ増幅回路７５５を無負荷とし、増幅回路７５５の焼損を防止することができる。
【００４０】
以上、本実施形態によると、増幅回路を最適な電圧で動作することで増幅回路の発熱を抑制し、また増幅回路に過電流が流れた場合には増幅回路の出力を停止できるので増幅回路の焼損を防止することができる。
【００４１】
以上、本発明の実施形態に基づいて説明したが、この実施形態は例示であり、それらの各構成要素の組み合わせにいろいろな変形例が可能なこと、またそうした変形例も本発明の範囲にあることは当業者に理解されるところである。
【産業上の利用可能性】
【００４２】
本発明は、電圧調整回路に好適であるが、電圧調整回路に限られるものではなく、発熱の抑制が必要な回路一般に適用可能である。
【符号の説明】
【００４３】
１００、２００、３００、４００、４５０、５００、５５０、６００、６５０、７００、７５０、８００・・・電圧調整回路
１１１、１１２、４１１、４５１、５１１、５５１、６１１、６５１、７１１、７５１、８１１・・・レギュレータ
１１３、１１４、２１２、２１３、３１３、３１４、４１４、４１５、４５４、４５５、５１４、５５４、６１５、６５５、７１５、７５５・・・増幅回路
２１１、２１４、３１１、３１２、３１５、３１６、４１２、４１３、４５２、４５３、５１２、５５２、６１２、６５２、７１２、７５２・・・抵抗
５１３、５５３、６１３、６５３、７１３、７５３・・・比較器
６１４、６５４、７１４、７５４・・・スイッチ
８１２・・・対向電源用増幅回路（増幅回路）
８１３・・・ＣＳ電源用増幅回路（増幅回路）
【図１】
2012060386.tif 000003
【図２】
2012060386.tif 000004
【図３】
2012060386.tif 000005
【図４】
2012060386.tif 000006
【図５】
2012060386.tif 000007
【図６】
2012060386.tif 000008
【図７】
2012060386.tif 000009
【図８】
2012060386.tif 000010
【図９】
2012060386.tif 000011
【図１０】
2012060386.tif 000012
【図１１】
2012060386.tif 000013
【図１２】
2012060386.tif 000014